(57)【特許請求の範囲】
【請求項１】
使用者の体部分を収容する寝袋本体部と、該寝袋本体部の上方側に該使用者の頭部分を収容する寝袋頭部とを有し、該寝袋頭部に該使用者の顔部分を露出可能な開口部を有する寝袋であって、
該開口部の周縁は、該開口部の下端部から寝袋の左右両方向に拡がってから斜め上方に向かって曲線状に延びて一体に繋がるように形成され、
該開口部の該周縁に該開口部の広さを変更可能な変更手段を備え、
該変更手段が設けられた寝袋内側に、該開口部の該周縁に沿って、該使用者の該顔部分に当接可能な顔当て部が設けられ、
該顔当て部は、内部に中綿を有する袋状になって、該開口部の周縁に縫製され、該周縁から寝袋外側へ向けて立ち上がっており、外側端部が該変更手段より外側に位置することを特徴とする寝袋。
【請求項２】
請求項１において、
上記寝袋本体部に、該開口部の該下端部から該寝袋本体部の足元方向にスライドして該寝袋本体部を開閉する本体ファスナーが設けられ、
該本体ファスナーは、該寝袋本体部に縫製されたシート状基材と、該シート状基材に取り付けられた複数の噛合エレメント及びスライダとを備えることを特徴とする寝袋。
【請求項３】
請求項２において、
上記変更手段が、該本体ファスナーに一体に連続する開口部ファスナーで形成され、該本体ファスナーの該スライダが該開口部ファスナーにもスライドすることで、該開口部の広さが変更可能となっていることを特徴とする寝袋。
【請求項４】
請求項３において、
上記開口部の該開口部ファスナーは、該本体ファスナーを設けた該開口部の該下端部から、左右方向に拡がってから斜め上方に接近する方向に向かって延びて曲線状に一体に接続され、
該開口部が縦長の楕円形状に形成されることを特徴とする寝袋。
【請求項５】
請求項４において、
該開口部ファスナーは、噛合エレメント及びシート状基材を備え、
該開口部ファスナーの該噛合エレメント及び該シート状基材が、該本体ファスナーの該噛合エレメント及び該シート状基材の向きと異なる方向に向いて配置されていることを特徴とする寝袋。
【請求項６】
請求項３ないし５のいずれか１つにおいて、
上記本体ファスナー及び上記開口部ファスナーは、１枚のシート状基材が、上記本体ファスナーの一方の下端部から上端部に延びて、該上端部から該開口部の周縁を回った後、上記本体ファスナーの他方の上端部から下端部まで連続して設けられ、このシート状基材に該本体ファスナー及び該開口部ファスナーの各噛合エレメントが連続して設けられ、本体ファスナーのスライダが該本体ファスナー及び該開口部ファスナーに連続してスライドするようになっていることを特徴とする寝袋。
【請求項７】
請求項２ないし６のいずれか１つにおいて、
該本体ファスナーよりも寝袋内側に、該本体ファスナーの噛合エレメントの噛み合い部分からの空気漏れを防止する防寒裏縁片が設けられ、
上記顔当て部は、該防寒裏縁片に連続して一体に設けられていることを特徴とする寝袋。
【請求項８】
請求項７において、
該顔当て部及び該防寒裏縁片は、中綿を有する袋体で形成されていることを特徴とする寝袋。
【発明の詳細な説明】
【技術分野】
【０００１】
本発明は、室内、車室内あるいは、登山、ハイキング、キャンプなど屋外で使用する寝袋に関する。
【背景技術】
【０００２】
一般的に、寝袋は、主にテントやキャンピングカー等で寝泊まりする所謂アウトドア活動において、就寝時に寒さを防ぐ為の寝具として利用されている。
【０００３】
そして、使用者にとっての快適性や利便性を向上させるために、各種構造の寝袋が開示されている。例えば、寝袋の寝袋頭部に、使用者の顔部分が露出可能な開口部を備え、使用者の顔部分周りのシール性を確保するために、開口部の周縁にヒモを設けたものが知られている。（特許文献１，２）
【先行技術文献】
【特許文献】
【０００４】
【特許文献１】特開２００１−０４６２０５号公報（［００３２］〜［００３４］、図７）
【特許文献２】特開２０００−０５１０４０号公報（請求項４、［００１５］、図３、図５）
【発明の概要】
【発明が解決しようとする課題】
【０００５】
特許文献１では、寝袋の開口部の周縁で使用者の顔部分の周囲をシールする場合に、開口縁であって、使用者の額側と顎側に相当する部分に設けたヒモを引っ張って開口部の周縁を縮めるようになっている。そのために、額側及び顎側のひもを引っ張っても、開口部は横長の形状になり、使用者の額と顎に相当する部分の間隔が直ぐに狭くなり、頬に対応する横の間隔が開いて十分にシールできないことになる。
【０００６】
また、特許文献２では、寝袋の開口部の周縁に設けたヒモと、この周縁から離れる方向に設けたヒモとを引っ張って顔部分周りをシールするようにしているが、２つのヒモを引っ張ることで操作性が悪く、しかも、両方のヒモを引っ張っても、顔部分周りを顔部分の形に相応して狭くすることが非常に難しい。
【０００７】
本発明では、上記問題に鑑みて、寝袋の使用者の顔部分周りを効果的にシールできるようにした寝袋を提供することを目的とする。
【課題を解決するための手段】
【０００８】
上記の目的を達成するために、この発明では、使用者の顔部分を露出可能な開口部の周縁部を該使用者の顔部分形状に似た形状に維持するようにした。
【０００９】
具体的には、第１の発明は、使用者の体部分を収容する寝袋本体部と、該寝袋本体部の上方側に該使用者の頭部分を収容する寝袋頭部とを有し、該寝袋頭部に該使用者の顔部分を露出可能な開口部を有する寝袋であって、該開口部の周縁は、該開口部の下端部から寝袋の左右両方向に拡がってから斜め上方に向かって曲線状に延びて一体に繋がるように形成され、該開口部の該周縁に該開口部の広さを変更可能な変更手段を備え、該変更手段が設けられた寝袋内側に、該開口部の該周縁に沿って、該使用者の該顔部分に当接可能な顔当て部が設けられ、該顔当て部は、内部に中綿を有する袋状になって、該開口部の周縁に縫製され、該周縁から寝袋外側へ向けて立ち上がっており、外側端部が該変更手段より外側に位置することを特徴とする。
【００１０】
第２の発明は、第１の発明において、上記寝袋本体部に、該開口部の該下端部から該寝袋本体部の足元方向にスライドして該寝袋本体部を開閉する本体ファスナーが設けられ、該本体ファスナーは、該寝袋本体部に縫製されたシート状基材と、該シート状基材に取り付けられた複数の噛合エレメント及びスライダとを備えることを特徴とする。
【００１１】
第３の発明は、第２の発明において、上記変更手段が、該本体ファスナーに一体に連続する開口部ファスナーで形成され、該本体ファスナーの該スライダが該開口部ファスナーにもスライドすることで、該開口部の広さが変更可能となっていることを特徴とする。
【００１２】
第４の発明は、第３の発明において、上記開口部の該開口部ファスナーは、該本体ファスナーを設けた該開口部の該下端部から、左右方向に拡がってから斜め上方に接近する方向に向かって延びて曲線状に一体に接続され、該開口部が縦長の楕円形状に形成されることを特徴とする。
【００１３】
第５の発明は、第４の発明において、該開口部ファスナーは、噛合エレメント及びシート状基材を備え、該開口部ファスナーの該噛合エレメント及び該シート状基材が、該本体ファスナーの該噛合エレメント及び該シート状基材の向きと異なる方向に向いて配置されていることを特徴とする。
【００１４】
第６の発明は、第３ないし第５の発明のいずれか１つにおいて、上記本体ファスナー及び上記開口部ファスナーは、１枚のシート状基材が、上記本体ファスナーの一方の下端部から上端部に延びて、該上端部から該開口部の周縁を回った後、上記本体ファスナーの他方の上端部から下端部まで連続して設けられ、このシート状基材に該本体ファスナー及び該開口部ファスナーの各噛合エレメントが連続して設けられ、本体ファスナーのスライダが該本体ファスナー及び該開口部ファスナーに連続してスライドするようになっていることを特徴とする。
【００１５】
第７の発明は、第２ないし第６の発明のいずれか１つにおいて、該本体ファスナーよりも寝袋内側に、該本体ファスナーの噛合エレメントの噛み合い部分からの空気漏れを防止する防寒裏縁片が設けられ、上記顔当て部は、該防寒裏縁片に連続して一体に設けられていることを特徴とする。
【００１６】
第８の発明は、第７の発明において、該顔当て部及び該防寒裏縁片は、中綿を有する袋体で形成されていることを特徴とする。
【発明の効果】
【００１７】
第１の発明によると、開口部の広さを、使用者の顔部分の大きさに応じて変えることで、顔部分周りのシール性が向上し、防寒性に優れる。防寒性とは、外部の冷気が侵入しないことと寝袋内部の暖まった空気が外に漏れないことを含む。また、顔部分に当たる顔当て部で、変更手段が顔部分に直接接触しないようにしているので、使用者の不快感を防止できる。
【００１８】
第２の発明によると、開口部に続く本体ファスナーを設けることで、この本体ファスナーを開けた部分と開口部とを出入口とすることができ、小さな開口部分で使用者の出入りがスムーズに行われる。
【００１９】
第３の発明によると、開口部の広さを狭くする場合には、開口部の下端部側から開口部ファスナーのスライダをスライドさせるので、このスライドに伴い、開口部は、左右方向の間隔が狭くなっていくとともに開口部の広さが狭くなり、開口部の上端部が、下端部方向に引かれないので、縦長の楕円形状が崩れにくい。ヒモであると、そのヒモを開口部の下端部で引っ張ると開口部の周縁全体が狭くなり、開口部の上端部も下端部方向に移動して、横長の楕円形状の開口状態になりやすい。
【００２０】
第４の発明によると、縦長の楕円形状に形成されるので、開口部の広さを狭めても、頬の両側が空くことなく、狭くでき、顔部分周りのシール性を維持できる。
【００２１】
第５の発明によると、該開口部ファスナーの該噛合エレメント及び該シート状基材が、該本体ファスナーの噛合エレメント及びシート状基材と異なる方向に向いて形成されている、即ち、本体ファスナーの噛合エレメント及びシート状基材が互いに向き合う方向であるのに対して、開口部ファスナーの噛合エレメント及びシート状基材が向き合う方向で無いので、開口部ファスナーのシート状基材が滑らかな楕円形状に形成される。
【００２２】
第６の発明によると、本体ファスナー及び開口部ファスナーの各噛合エレメントが等間隔で１枚のシート状基材に取り付けられたものを使用できるので、本体ファスナー及び開口部ファスナーの寝袋本体部及び寝袋頭部への取り付けが容易である。
【００２３】
第７の発明によると、防寒裏縁片を設けることによって、噛合エレメントの隙間を確実に閉塞でき、この隙間からの寒気の侵入を防止できるとともに、顔当て部が防寒裏縁片に連続して一体に設けられているので、顔当て部と防寒裏縁片とに隙間がないので、寒気の侵入をさらに防止できて保温性に優れる。
【００２４】
第８の発明によると、顔当て部及び防寒裏縁片が、中綿を有する袋体で形成されているので、防寒機能に優れる。
【図面の簡単な説明】
【００２５】
【図１】図１は、本発明の実施形態１に係る寝袋の閉じた状態を示す斜視図である。
【図２】図２は、図１の寝袋の一部を開いた状態の斜視図である。
【図３】図３は、図１の寝袋の上部の拡大斜視図である。
【図４】図４は、開口部ファスナーを説明するための拡大斜視図である。
【図５】図３のＡ−Ａ線断面図である。
【図６】図５の鎖線円Ｉ部の拡大図である。
【図７】図３のＢ−Ｂ線断面図である。
【図８】図７の鎖線円II部の拡大図である。
【発明を実施するための形態】
【００２６】
以下、本発明の実施形態を図面に基づいて詳細に説明する。以下の好ましい実施形態の説明は、本質的に例示に過ぎず、本発明、その適用物或いはその用途を制限することを意図するものではない。
【００２７】
図１に示すように、寝袋１は、袋状で所謂マミー型と呼ばれる形状からなり、一般的に知られているように、綿、ポリエステル、ナイロン等からなる２枚の布地の間に羽毛や中綿等の保温材が封入されて構成されている。図１及び図２に示すように、寝袋１は、その中で寝る使用者Ｎが仰向けで寝た場合に、背面側になって敷かれる敷部２（図５及び図６参照）と、この使用者Ｎの正面側（腹側）になり、使用者Ｎの上に掛けられる掛部３とを備えている。寝袋１は、足元側から上方に向けて各左右方向に拡がって広くなってから、寝た状態の使用者Ｎの肩に相当する部分から徐々に左右方向から滑らかな曲線状で狭くなっている一体形状のマミー型である。
【００２８】
以下の説明において、本発明では、使用者Ｎの首よりも下側を体部分（図示省略）と称し、首から上を頭部分Ａと称す。図１及び図２に示すように、寝袋１において、寝袋１に入った使用者Ｎの頭部分Ａが位置する部分を寝袋頭部５（図１及び図２では紙面の右上側）と称し、寝袋１に入った使用者Ｎの体部分が位置する部分を寝袋本体部４と称し、使用者Ｎの足元が位置する部分（図１及び図２の紙面の左下側）を寝袋下部４ａと称す。また、図１及び図２の紙面において、右上と左下を結ぶ方向を寝袋の上下方向、左上と右下を結ぶ方向を寝袋の左右方向と称す。また、寝袋１の中に使用者Ｎの体部分が入る空間Ｋ側を寝袋内側１ａと称し、逆を寝袋外側１ｂと称す（図５及び図６参照）。掛部３についても、使用者Ｎの体部分が入る空間Ｋ側を内側３ａと称し、逆を外側３ｂと称す。
【００２９】
図３は、図１の寝袋の上部の拡大斜視図であり、図４は、開口部ファスナーを説明するための拡大斜視図である。図４では、開口部ファスナーを解りやすく説明するために、図３から顔当て部２１を省いた図面としている。
【００３０】
図３にも示すように、寝袋頭部５には、使用者Ｎの顔部分Ｆを露出可能な縦長の楕円形状の開口部１０が設けられている。開口部１０の周縁１１は、開口部１０の下端部１０ａから寝袋１の左右両方向に拡がってから斜め上方に向かって曲線状に延びて一体に繋がるように形成されている。この開口部１０の下端部１０ａから下方を寝袋本体部４とし、その上方を寝袋頭部５として、両者を区別して説明する。即ち、基本的には、寝袋本体部４と寝袋頭部５とは区別されること無く一体のものであり、寝袋本体部４と寝袋頭部５に明確な境界はないが、開口部１０の位置を解りやすく説明する便宜上前述したように区別している。
【００３１】
寝袋本体部４の左右方向中央位置に、開口部１０の下端部１０ａから、寝袋本体部４の足元方向にスライドして寝袋本体部４を開閉する本体ファスナー６が設けられている。本体ファスナー６には、上側スライダ７ａと下側スライダ７ｂとからなるスライダ７が設けられている。上側スライダ７ａを寝袋下方向にスライドさせて、掛部３を左右に開けることで、使用者Ｎが、敷部２と掛部３との空間Ｋに出入りできる一方、上側スライダ７ａを寝袋上方向にスライドさせて、掛部３を閉じることで、使用者Ｎの体部分が包まれるようになっている。
【００３２】
図４に示すように、開口部１０の周縁１１に、開口部１０の広さ（大きさ）を変更可能な変更手段として、開口部ファスナー１２が設けられている。詳細は後述するが、開口部ファスナー１２は、本体ファスナー６と連続する一体のファスナーとして設けられている。
【００３３】
開口部１０の下端部１０ａと本体ファスナー６の上端部６ａとの両位置を一致させて、開口部１０の開口部ファスナー１２と本体ファスナー６とを連続して設けることで、この上側スライダ７ａを寝袋下方向にスライドさせて掛部３を左右に開いた部分と、それに連続する開口部１０とを介して、使用者Ｎが出入りすることができる。このことにより、小さな出入り部分で使用者Ｎの出入りがスムーズに行われる。なお、本体ファスナー６は、使用者Ｎの出入りに支障が無ければ、掛部３をできるだけ大きく開けない方が良いので、足元方向の途中までとしているが、場合によっては、寝袋１の足元位置である寝袋下部４ａまで設けてもよい。
【００３４】
周縁１１に設けられた開口部ファスナー１２よりも寝袋内側１ａ（掛部３の内側３ａ）に、開口部１０の周縁１１に沿って、使用者Ｎの顔部分Ｆに当接可能な顔当て部２１が設けられている。この顔当て部２１は、内部に中綿を有する袋状になって、開口部１０の周縁１１に縫製されて一体化されている。実際には、図１及び図２に示すように、顔当て部２１は、開口部１０から掛部３の外側３ｂに露出して使用されることで、顔部分Ｆへの接触感をソフトタッチにすることができる。それと共に、この顔当て部２１を設けることで、開口部ファスナー１２が直に顔部分Ｆに接触する場合の不快な感触を防止できると共に、クッション性を有するので、顔部分Ｆ周りのシール性を高め、顔当て部２１が立ち上がりのあるフードとなり、ソフトに顔部分Ｆを包み込むことができる。
【００３５】
開口部１０の詳細構造について、図３〜図６に基づいて説明する。
【００３６】
本体ファスナー６は、スライダ７、噛合エレメント８及びシート状基材９を備える。開口部ファスナー１２は、本体ファスナー６のシート状基材９に連続する１枚のシート状基材９と、噛合エレメント１３とを備える。即ち、本体ファスナー６及び開口部ファスナー１２のシート状基材９は、左側（図１及び図２）の掛部３の端に、下端部６ｂから上端部６ａまで縫製された後、開口部１０の左側下端部１０ａから左方向に曲がって拡がって開口した周縁１１に沿って縫製され、その後、楕円状を描くように形成された周縁１１に沿って縫製され、開口部１０の上端部でＵターンして、左右対称に周縁１１に沿って縫製されて、開口部１０の右側下端部１０ａまで戻り、その後、右側（図１及び図２）の掛部３の端に、本体ファスナー６の上端部６ａから下端部６ｂまで縫製されている。本体ファスナー６の上端部６ａと開口部ファスナー１２の下端部１２ａとは一致しており、１枚のシート状基材９に、噛合エレメント８及び噛合エレメント１３とが連続して同一間隔で取り付けられており、本体ファスナー６のスライダ７が、噛合エレメント８と噛合エレメント１３とを連続してスライドできるようになっている。
【００３７】
なお、本体ファスナー６の下端部６ｂから上端部６ａまでは、左右のシート状基材９及び左右の噛合エレメント８，８が互いに向き合っている。しかし、開口部１０の周縁１１が開口部ファスナー１２の下端部１２ａから寝袋１の左右方向に拡がって設けられているので、左右のシート状基材９が離れる方向になっている。この場合に、噛合エレメント１３が噛合エレメント８と同じ一定の間隔に維持されるために、シート状基材９が折れ曲がるようになって左右に拡がっていく。その結果、左右のシート状基材９の端部同士が向かい合う状態から、内側面９ｂ，９ｂ同士が向かい合う状態、即ち、噛合エレメント８，８から噛合エレメント１３になるに従って、噛合エレメント８，８が互いに向かい合う状態から、徐々に向きを変えて、噛合エレメント１３は、互いに並置された状態になる。なお、シート状基材９が向きを変えて折れ曲がっていく場合に、噛合エレメント８，８の上端と噛合エレメント１３の下端とは徐々に向きが変わってスムーズに変わっている。なお、９ａはシート状基材９の外側面である。
【００３８】
その結果、噛合エレメント１３は寝袋外側１ｂ（掛部３の外側３ｂ）を向くこととなる。この向きのままで、シート状基材９及び噛合エレメント１３が開口部１０の周縁１１を回って開口部１０の下端部１０ａまで戻り、シート状基材９が開口部１０の周縁１１に縫製されるようになる。シート状基材９及び噛合エレメント８は、本体ファスナー６では、左右が互いに向き合って対向している。一方、シート状基材９は、開口部１０の周縁１１では、寝袋１の内側１ａに向いていた内側面９ｂが、徐々に向きを変えてほぼ９０°向きを変える状態になり、それに応じて噛合エレメント１３も徐々に寝袋外側１ｂの方向に向きを変えて、周縁１１に縫製される。それによって、開口部１０は、噛合エレメント１３の向きの変更により滑らかな縦長の楕円形状を維持しやすくなっている。
【００３９】
また、開口部１０の大きさを変更するために、スライダ７を、噛合エレメント８，８から噛合エレメント１３に移るようにしてスライドさせる場合には、左右の噛合エレメント１３，１３を互いに近づけたり向きを向かい合わせに変更したりするか、或いは、少し強い力でスライドさせることで、移動可能である。この操作によって、開口部１０の広さを変えることができる。上側スライダ７ａを寝袋１の上部にスライドさせることで、開口部１０の下端部１０ａに近い部分から噛合エレメント１３，１３が合わさっていくので、開口部１０の上端部、即ち顔部分Ｆの額部分に相当する部分が、開口部１０の下端部１０ａ、即ち顔部分Ｆの顎部分の方向に引っ張られることが無く、開口部１０が横に広くなることがなく、小さな縦長の楕円形状にすることができ、開口部１０の大きさを変更した場合でも、顔の周囲のシール性を高く維持できる。
【００４０】
使用者Ｎの足元位置になる寝袋下部４ａには、寝袋下部４ａを半円状に開く足元ファスナー１６が設けられ、この足元ファスナー１６により寝袋下部４ａを開くことで足元を通気可能に、又は足を出して寝ることもできるようになっている。寝袋本体部４には、それぞれ、使用者Ｎの両手（図示省略）を出し入れする手用開口部１７が設けられている。手用開口部１７は、手用ファスナー（図示省略）で開閉可能になっている。掛部３の本体ファスナー６を閉じた状態でも、手用開口部１７から手を出して自由に動かすことができる。
【００４１】
図２、図７及び図８に示すように、寝袋本体部４の本体ファスナー６の左側（図１及び図２）のシート状基材９よりも内側に本体用防寒裏縁２０が配置されている。本体用防寒裏縁２０は、本体ファスナー６の左右の噛合エレメント８，８が噛み合ったときに隙間風の通過を防止するものであって、中綿を有する袋状に形成され、本体ファスナー６の左側端で掛部３に縫製されている。また、本体ファスナー６の噛合エレメント８，８の噛込みを防止する噛込み防止片２２が、左側の噛合エレメント８と本体用防寒裏縁２０との間で掛部３に縫製されている。
【００４２】
なお、本体用防寒裏縁２０や噛込み防止片２２を左側の噛合エレメント８のみに設けたが、左側の代わりに右側に設けてもよく、或いは両側に設けてもよい。
【００４３】
図２〜図６に示すように、顔当て部２１が本体用防寒裏縁２０と一体に、同じ大きさで設けられている。なお、本体用防寒裏縁２０は、噛合エレメント８，８が噛み合った際の隙間風の防止対策であり、顔当て部２１は、顔部分Ｆ周りのシール性を高める防寒対策で有り、空気の漏れを防止する点では共通であるので、同じ大きさで形成している。しかし、本体用防寒裏縁２０は、噛合エレメント８，８の隙間風の防止対策であり、大きな袋体とする必要が無いが、顔当て部２１が、顔部分Ｆと開口部のシール性を高めるものであるので、本体用防寒裏縁２０よりも少し大きな袋体とし、内部の中綿も多くしてもよい。顔当て部２１は、本体用防寒裏縁２０に連続して開口部１０の下端部１０ａから周縁１１に沿って設けられ、開口部１０の下端部１０ａに戻って、本体ファスナー６の他方の噛合エレメント８の一部まで延びて、顔部分Ｆの回りのシール性を確実にできるようになっている。なお、顔当て部２１は、この実施形態の構造に限られるものでは無く、例えば、顔当て部２１は、開口部１０の下端部１０ａに戻った後は、本体ファスナー６の他方の噛合エレメント８の一部まで延びたフリーな延出部（掛部３に縫製されずに、帯状にフリーになって延びたもの）として設けて、開口部１０の周縁１１を巻くようにして、シール性を更に高めてもよい。
【００４４】
次に、寝袋１に使用者Ｎが入る場合の状態を説明する。
【００４５】
本体ファスナー６のスライダ７ａ，７ｂを下端部６ｂに向かう方向に下げて掛部３を左右に開き、使用者Ｎの体部分を掛部３と敷部２との空間Ｋに挿入する。その後、顔当て部２１を開口部１０の周縁１１から寝袋外側１ｂに飛び出させる。そして、本体ファスナー６のスライダ７ａを上端部６ａまでスライドさせて、寝袋本体部４を閉じる。このとき、スライダ７ａを上端部６ａに向かう方向にスライドさせると、開口部１０の下端部１０ａで、開口部ファスナー１２の噛合エレメント１３及びシート状基材９の向きが本体ファスナー６と異なっているので、上端部６ａ（即ち開口部１０の下端部１０ａ）で、一旦スライダ７ａのスライド抵抗が大きくなるか或いはスライダ７ａが止まる。その結果、スライダ７ａで、急に顔部分Ｆまで閉じられることが無く、あまり注意を要することなく、スライダ７ａを素早く且つ安心して上方にスライドできる。使用者Ｎの顔の大きさが一般的な大きさであれば、この状態でもよいが、使用者Ｎの顔が小顔もしくは頭部が小さい場合に、その使用者Ｎに合わせて顔部分を小さく或いは顔部分Ｆ周りの露出を少なくして防寒したい場合には、開口部１０の下端部１０ａに留まっているスライダ７ａをさらに引き上げるようにすれば、左右に開いた噛合エレメント１３，１３を噛み合わすことができ、開口部１０を狭くすることができる。なお、この操作で、スライダ７ａがスムーズに引き上げられない場合には、開口部ファスナー１２の噛合エレメント１３，１３を互いに対向する左右方向の向きにして近づけてから、スライダ７ａを引き上げると、うまく操作できる。そして、スライダ７ａが、顔部分Ｆに当たらないように、顔当て部２１を顔部分Ｆとスライダ７ａとの間に位置させる。この操作は、顔部分Ｆの内側で両手を使って行うことも可能で有り、また、手用開口部１７から両手を出して操作することも可能である。
【００４６】
なお、開口部ファスナー１２のスライダ７ａを上端まで引き上げれば、開口部１０を全閉状態にすることができる。スライダ７ａの移動により開口部１０の大きさは、スライダ７ａが開口部１０の下端部１０ａの位置から上端部（開口部１０を全閉する状態）までの間で細かい微調整が可能で、使用者の好みの大きさに調整することができる。また全閉状態にするとき、噛合エレメント１３が上端でループ状になるので、スライダ７ａが外れることはない。
【００４７】
そして、顔部分Ｆを大きく露出したい場合や、寝袋１から出たい場合には、逆方向にスライダ７ａをスライドさせればよい。また、スライダ７ａだけで無くスライダ７ｂを上端部６ａ方向にスライドさせて、使用者Ｎの胴周りの掛部３を開けるようにして使用することもできる。なお、スライダ７ｂは省略することも可能である。
【００４８】
実施形態では、開口部１０の周縁１１は、開口部１０の下端部１０ａから左右両方向に拡がってから斜め上方に向かって縦長の楕円形状になっているが、この実施形態の形状に限られない。本発明では、開口部１０の大きさを変更するときに、顔部分Ｆの頬部分に隙間が出ない形状で大きさが変化するようにするものであればよく、開口部１０の形状は、顔部分Ｆの形状に合わせるような形状で大きさを変更できることが好ましく、例えば縦長の楕円形状、略卵形状、略大豆形状、略三角むすび形状等が使用できる。
【００４９】
特に、開口部１０の広さを変更可能な変更手段である開口部ファスナー１２は、開口部１０の広さを顔部分Ｆの形状に合わせるように変更できることが好ましく、縦長の楕円形状が好ましい。
【００５０】
本実施形態では、開口部１０及び顔当て部２１で顔部分Ｆ周りをシールして防寒対策できるようになったので、寝袋１の内側１ａに、防寒対策として使用者Ｎの肩部分に相当する位置に従来から設けられているショルダーウォーマー（図示省略）を絞って防寒対策をしてもしなくてもよくなった。即ち、就寝時に、寒い中ごそごそと手間をかけて、ショルダーウォーマーを絞る作業を必ずしもする必要がなくなった。ショルダーウォーマーを操作するには、かなり手間をとられるので、この操作の省略化は非常に有用となる。また、本発明では、肩よりも下の温かい空気が逃げるのを別途に防がなくても、顔部分Ｆ周りから空気が逃げないため、寝袋全体で温められた空気を守り、逃げないようにできる。それにより、場合によっては、ショルダーウォーマーを省略することも可能となった。なお防寒対策とは、外部の冷気が侵入しないことと寝袋内部の暖まった空気が外に漏れない対策の両方を含む。
【００５１】
（その他の実施形態）
本実施形態では、寝袋１は、所謂マミー型として示したが、これに限られるものではなく、所謂封筒型や、より正方形に近い形状等、他の形状であってもよい。
【００５２】
また、本実施形態では、掛部３の本体ファスナー６は、寝袋１の幅方向の略中央位置に設けたが、必ずしも中央位置でなくてもよく、中央位置から左右にずれて設けられていてもよい。
【００５３】
また、顔当て部２１は、本体用防寒裏縁２０に延設されて一体に形成されているが、一体ではなく、別々に設けるようにしてもよい。
【００５４】
実施形態では、開口部ファスナー１２を本体ファスナー６と一体のものとしたが、別体としてもよい。ただ、上記実施形態のように、本体ファスナー６と一体の開口部ファスナー１２とすることが、実施形態で説明したような機能効果の上で優れているので、好ましい。
【００５５】
また、開口部１０の大きさを変更する変更手段として、開口部ファスナー１２としたが、これに限られるものでは無く、例えば、樹脂や金属の凹凸からなる嵌め込み溝と突起でもよく、伸縮自在のゴムのような芯棒を用いてもよい。
【００５６】
また、上記実施形態では、１枚のシート状基材９で、本体ファスナー６及び開口部ファスナー１２とを構成したが、通常に２枚のシート状基材を左右に別々に縫製して、本体ファスナー６及び開口部ファスナー１２として用いてもよい。なお、この場合には、開口部１０の上端部の位置で、両方のシート状基材に噛合エレメントの止め具（図示省略）を設けて、２本のシート状基材を留めるようにすることが好ましい。また、開口部１０を滑らかな縦長の楕円形状に維持するために、止め具よりも先端側同士を互いに縫製することで一体とするようにしてもよい。
【産業上の利用可能性】
【００５７】
本発明は、室内、車室内あるいは、登山、ハイキング、キャンプなど屋外で使用する寝袋であって、使用者の背面側に敷かれる敷部と、使用者の正面側を覆う掛部とを備えた寝袋に極めて有用である。
【符号の説明】
【００５８】
Ｎ        使用者
１        寝袋
３        掛部
４        寝袋本体部
５        寝袋頭部
６        本体ファスナー
７        スライダ
７ａ      上側スライダ
８        噛合エレメント
９        シート状基材
９ａ      外側面
９ｂ      内側面
１０      開口部
１０ａ    下端部
１１      周縁
１２      変更手段（開口部ファスナー）
１２ａ    下端部
１３      噛合エレメント
１６      足元ファスナー
２０      本体用防寒裏縁
２１      顔当て部
２２      噛込み防止片
【図１】
0006542564.tif 000002
【図２】
0006542564.tif 000003
【図３】
0006542564.tif 000004
【図４】
0006542564.tif 000005
【図５】
0006542564.tif 000006
【図６】
0006542564.tif 000007
【図７】
0006542564.tif 000008
【図８】
0006542564.tif 000009